(57)【特許請求の範囲】
【請求項１】
縦目地に沿って配置された換気部材を備え、この換気部材には当該縦目地の室外側開口よりも室内側の位置に取入口が設けられ、この縦目地および取入口を通して外気を室内に取入可能に構成され、
前記換気部材は、前記取入口を通して室外に連通された中空部と、この中空部を室内空間に連通させる連通孔とを備えた縦材により構成され、
前記縦材には、前記縦目地の室内側に連続して、当該縦目地よりも見付け方向の幅寸法が広くされたゴンドラガイドレール形成部が設けられ、このゴンドラガイドレール形成部に前記取入口が設けられているカーテンウォール。
【請求項２】
縦目地に沿って配置された換気部材を備え、この換気部材には当該縦目地の室外側開口よりも室内側の位置に取入口が設けられ、この縦目地および取入口を通して外気を室内に取入可能に構成され、
前記換気部材は、前記取入口を通して室外に連通された中空部と、この中空部を室内空間に連通させる連通孔とを備えた縦材により構成され、この縦材は、プレキャストコンクリート製の外壁部材に予め取り付けられているカーテンウォール。
【請求項３】
前記縦材は、四周枠組みされたカーテンウォールユニット用枠体の縦枠である請求項１または請求項２に記載のカーテンウォール。
【請求項４】
前記換気部材は、プレキャストコンクリート製の外壁部分で支持されている請求項１ないし請求項３のいずれかに記載のカーテンウォール。
【請求項５】
縦目地に沿って配置された換気部材を備え、この換気部材には当該縦目地の室外側開口よりも室内側の位置に取入口が設けられ、この縦目地および取入口を通して外気を室内に取入可能に構成され、
前記換気部材は、前記取入口を通して室外に連通された中空部と、この中空部を室内空間に連通させる連通孔とを備えた換気ボックスにより構成され、この換気ボックスは、プレキャストコンクリート製の外壁部材に予め取り付けられているカーテンウォール。
【請求項６】
外壁が請求項１ないし請求項５のいずれかに記載のカーテンウォールで形成されている建物。
【請求項７】
前記換気部材の取入口を介して室外と室内空間とを連通させる外気取入流路と、この外気取入流路と室内空間とを仕切る内窓とが設けられ、この内窓を構成する障子の開閉に伴って、前記外気取入流路と室内空間との連通および遮断が自動的に行われる請求項６に記載の建物。
【請求項８】
前記外気取入流路の室内側開口には、室内側に開く方向に付勢された換気扉が設けられ、この換気扉は、前記障子の開動作に連動して開き、前記障子の閉動作に伴い当該障子によって押し戻されて閉じる構成とされている請求項７に記載の建物。
【請求項９】
前記内窓を構成する縦枠の前記障子が当接される側面に前記外気取入流路の室内側開口が設けられ、この室内側開口は、前記障子を閉めた状態では当該障子の縦框によって覆われて、前記外気取入流路と前記室内空間との連通が遮断され、前記障子を開けた状態で前記縦枠と前記縦框との隙間を通じて前記外気取入流路が前記室内空間に連通される請求項７に記載の建物。
【請求項１０】
前記外気取入流路のうち、少なくとも一部は可撓性を有する部材によって区画形成されている請求項７ないし請求項９のいずれかに記載の建物。
【発明の詳細な説明】
【０００１】
【発明の属する技術分野】
本発明は、カーテンウォールおよび建物に係り、室内の換気を行うのに好適なカーテンウォールおよび建物に関する。
【０００２】
【背景技術】
従来より、建物の外壁であるカーテンウォールを、上下方向および水平方向にそれぞれ並設された複数のカーテンウォールユニットで形成することが知られている。また、カーテンウォールユニットに、外気取入用の取入口を設けることも知られている。この取入口は、カーテンウォールユニットを構成する枠体の中でも、下側に配置される下枠の外表面に設けられ、この取入口が止水性の確保のために庇状のカバーで覆われている。
このようなカーテンウォールによれば、取入口から外気を室内に取り入れて換気できるから、カーテンウォールの一部に人手によって開閉する換気窓を設ける必要がなく、高層の建物に適している。
【０００３】
【発明が解決しようとする課題】
しかしながら、従来の外気の取入口は専ら、下枠の外表面に設けられているため、下枠の見付け寸法が大きくなったり、止水用のカバーが見栄えを悪くしているなど、外観が損なわれるという問題があった。
また、下枠の内部では、取入口から雨水等が入ることを想定して、複雑な止水構造が採用されており、下枠の組立が煩雑で、しかも高価になるという問題もあった。
【０００４】
なお、ユニットタイプのカーテンウォールばかりではなく、ガラス面材や石材製の面材を、方立および無目材を介して建物躯体側へ取り付けるタイプのカーテンウォールにおいても、従来では、取入口を備えた横材等を配置して換気可能に構成しており、このような場合でもやはり、同様な問題が存在する。
【０００５】
本発明の目的は、外観部分のデザインの自由度を高めて外観を良好にでき、かつ作業の繁雑さやコストアップを伴わずに止水性を確実に確保できるカーテンウォールおよび建物を提供することにある。
【０００６】
【課題を解決するための手段】
本発明のカーテンウォールは、縦目地に沿って配置された換気部材を備え、この換気部材には当該縦目地の室外側開口よりも室内側の位置に取入口が設けられ、この縦目地および取入口を通して外気を室内に取入可能に構成され、前記換気部材は、前記取入口を通して室外に連通された中空部と、この中空部を室内空間に連通させる連通孔とを備えた縦材により構成され、前記縦材には、前記縦目地の室内側に連続して、当該縦目地よりも見付け方向の幅寸法が広くされたゴンドラガイドレール形成部が設けられ、このゴンドラガイドレール形成部に前記取入口が設けられていることを特徴とする。
【０００７】
このような構成では、縦目地の室外側開口よりも室内側の位置、すなわち縦目地の奥側において、換気部材に取入口を設けることにより、この取入口と縦目地とが連通され、外気が縦目地から取入口を通して室内に取り入れられるようになり、建物内の換気が行われる。従って、従来とは異なり、横材（下枠）等の外表面に取入口を設ける必要がなく、横材等の見付け寸法が小さくなるうえ、カバー等も不要になるから、デザインの自由度が高まり、外観が良好になる。
また、換気部材は縦目地に沿って上下方向に設けられるので、雨水等が縦目地内に入ったり、さらには、取入口の内部に入り込んだ場合でも、換気部材の鉛直な側面（外面、内面）を伝って雨水が確実に排水され、換気部材に滞留することがない。このため、換気部材には複雑な止水構造が不要であり、煩雑な組立作業やコストアップを招かずに止水性が確実に確保される。
以上により、本発明の目的が達成される。
【０００８】
また、前記換気部材は、前記取入口を通して室外に連通された中空部と、この中空部を室内空間に連通させる連通孔とを備えた縦材により構成されているので、縦材に取入口を通して中空部に導入された外気が、縦材の連通孔を介して室内空間に取り入れられて建物内の換気が行われる。従って、万一取入口から中空部内に雨水が入り込んでも、この雨水は中空部内を流れ落ちて排水されるので、連通孔を越えて室内側に雨水が浸入することがなく、さらに確実に止水性を確保できる。
【０００９】
さらに、前記縦材には、前記縦目地の室内側に連続して、当該縦目地よりも見付け方向の幅寸法が広くされたゴンドラガイドレール形成部が設けられ、このゴンドラガイドレール形成部に前記取入口が設けられているので、縦目地の奥側がゴンドラガイドレールによって広い空間となり、このゴンドラガイドレール部分を通して取入口と縦目地とが連通されるため、取入口からの外気の取入がスムーズに行われるようになり、換気が効率的に行われる。
【００１０】
また、本発明のカーテンウォールは、縦目地に沿って配置された換気部材を備え、この換気部材には当該縦目地の室外側開口よりも室内側の位置に取入口が設けられ、この縦目地および取入口を通して外気を室内に取入可能に構成され、前記換気部材は、前記取入口を通して室外に連通された中空部と、この中空部を室内空間に連通させる連通孔とを備えた縦材により構成され、この縦材は、プレキャストコンクリート製の外壁部材に予め取り付けられたものでもよい。
さらには、本発明のカーテンウォールでは、前記縦材は、四周枠組みされたカーテンウォールユニット用枠体の縦枠であってもよい。
このような構成では、カーテンウォールユニットの縦枠が縦材を兼用するので、別途縦材を設ける必要がなく、経済的である。
【００１１】
また、本発明のカーテンウォールは、縦目地に沿って配置された換気部材を備え、この換気部材には当該縦目地の室外側開口よりも室内側の位置に取入口が設けられ、この縦目地および取入口を通して外気を室内に取入可能に構成され、前記換気部材は、前記取入口を通して室外に連通された中空部と、この中空部を室内空間に連通させる連通孔とを備えた換気ボックスにより構成され、この換気ボックスは、プレキャストコンクリート製の外壁部材に予め取り付けられたものでもよい。
このような構成では、前述の縦材と同様に、一旦中空部に導入された外気が、換気ボックスの連通孔を介して室内空間に取り入れられるので、万一取入口から中空部内に雨水が入り込んでも、この雨水は中空部内を流れ落ちて排水されるので、連通孔を越えて室内側に雨水が浸入することがなく、止水性を確保できる。
また、長尺の縦材を配置しなくても、換気に必要な寸法を有した換気ボックスを採用することで、効率よく換気が行える。
【００１２】
さらに、本発明のカーテンウォールでは、前記換気部材は、プレキャストコンクリート製の外壁部分で支持されていることが望ましい。
このような構成では、換気部材がプレキャストコンクリート（ＰＣ）製の外壁部分に近接配置されて支持されるか、あるいは、外壁部分に埋設されることで支持される。そして、換気部材がＰＣ製の外壁部分で支持されることにより、換気部材自身が補強されるから、この換気部材でも種々の内部造作物が良好に支持されるようになり、内部造作物の納まりの自由度が高まる。
【００１３】
一方、本発明の建物は、外壁が以上に説明したいずれかのカーテンウォールで形成されていることを特徴とするものであり、このようなカーテンウォールを備えることで、前述の作用効果があり、本発明の目的が達成される。
【００１４】
この際、本発明の建物では、前記換気部材の取入口を介して室外と室内空間とを連通させる外気取入流路と、この外気取入流路と室内空間とを仕切る内窓とが設けられ、この内窓を構成する障子の開閉に伴って、前記外気取入流路と室内空間との連通および遮断が自動的に行われることが望ましい。
なお、ここで、外気取入流路とは、その一部または全部として、前述の縦材または換気ボックスの取入口、中空部、および室内側の連通孔を含んで形成される空間を意味する。
このような構成では、建物がカーテンウォールと内窓とを備えた、いわゆるダブルスキン構造となるが、換気を行いたい時には、いかにも住宅等で換気を行う場合のように窓（内窓）を開けるだけでよいから、違和感なく換気が行えるうえ、機器類を操作するなどの煩わしさがなく、換気が容易に行われる。
【００１５】
この際、本発明の建物では、前記外気取入流路の室内側開口には、室内側に開く方向に付勢された換気扉が設けられ、この換気扉は、前記障子の開動作に連動して開き、前記障子の閉動作に伴い当該障子によって押し戻されて閉じる構成とされていることが望ましい。
このような構成では、内窓の障子の開閉動作に連動する換気扉を設け、この換気扉が室内側に開くように付勢されていることにより、障子を開けるだけで自動的に換気扉が開くので、換気が容易に行われるとともに、障子を閉めれば換気扉も閉じるので、換気が不要な時には室内の気密性を確保できる。
【００１６】
また、本発明の建物では、前記内窓を構成する縦枠の前記障子が当接される側面に前記外気取入流路の室内側開口が設けられ、この室内側開口は、前記障子を閉めた状態では当該障子の縦框によって覆われて、前記外気取入流路と前記室内空間との連通が遮断され、前記障子を開けた状態で前記縦枠と前記縦框との隙間を通じて前記外気取入流路が前記室内空間に連通される構成とすることも可能である。
このような構成では、内窓の障子を開閉することにより、障子を開ければ外気取入流路と室内空間とが連通され、障子を閉めれば連通が遮断されるので、換気が容易に行われるとともに、換気が不要な時には室内の気密性が確保できる。また、内窓の縦枠に外気取入流路の室内側開口を設けることで、この開口と障子との開閉が同時になされ、外気取入流路と室内空間との連通および遮断のための可動部材等を別途設ける必要がないので、部品点数を削減でき、可動部材等に掛かるメンテナンスを省略できる。
【００１７】
さらに、本発明の建物では、前記外気取入流路のうち、少なくとも一部は可撓性を有する部材によって区画形成されていることが望ましい。
ここで、通常、建物の外壁面を構成するカーテンウォールは、地震や強風により生じる建物の層間変形に対して、ロッキングやスウェイ移動することで破損しないように取り付けられており、このようなカーテンウォールと、建物に固定された内窓や内壁等の内部造作との間には、地震時等において相対的な移動量の差が生じることになる。
このような構成では、可撓性を有する部材によって外気取入流路の全部または一部を形成することにより、上記した相対的な移動量の差が生じた場合であっても、この差を部材の変形により吸収できるので、外気取入流路を良好に維持することができる。
【００１８】
【発明の実施の形態】
以下、本発明の各実施形態を図面に基づいて説明する。
なお、第２実施形態以降において、次の第１実施形態で説明する構成部材と同じ構成部材、および同様な機能を有する構成部材には、第１実施形態の構成部材と同じ符号を付し、それらの説明を省略または簡略化する。また、各図においては、カーテンウォール１の主要構成部品の断面を示すハッチングが省略されている。
【００１９】
〔第１実施形態〕
本発明の第１実施形態に係る建物について、図１ないし図６に基づいて説明する。
図１は、本実施形態に係る建物２の外壁を形成するカーテンウォール１の外観姿図である。図２は、カーテンウォール１の縦断面図、図３は、カーテンウォール１の横断面図である。図４は、図２の要部を拡大して示す縦断面図である。図５、図６は共に、図３の要部を拡大して示す横断面図である。
【００２０】
カーテンウォール１は、複数のカーテンウォールユニット１０を上下方向および水平方向に併設した構成であり、水平方向に併設された一対のカーテンウォールユニット１０の水平方向両側には、ＰＣ版（プレキャストコンクリート製の外壁部材）２０が配置されており、上下方向に直線状に延びたＰＣ製の外壁部分が形成されている。
【００２１】
具体的に、カーテンウォールユニット１０は、建物２の各階の床スラブ３間に跨って配置され、この床スラブ３に対してファスナーやブラケット等を介して固定されている。このカーテンウォールユニット１０は、それぞれアルミの押出形材製の上枠１１、下枠１２、および左右の縦枠１３を四周枠組みした矩形状の枠体１４を備え、この枠体１４内には、ガラス面材１５が嵌め込まれている。
一方、ＰＣ版２０は、その水平方向の両側に予め埋設されたアルミの押出形材製の縦材２１を備えている。
【００２２】
これらのカーテンウォールユニット１０およびＰＣ版２０は、略同じ大きさの外部露出面を有した外観矩形状に形成され、カーテンウォールユニット１０同士間や、カーテンウォールユニット１０とＰＣ版２０との間は、上下に連続した縦目地３１、あるいは水平方向に連続した横目地３２になっている。従って、特にカーテンウォールユニット１０とＰＣ版２０との間では、図５に示すように、縦目地３１に沿って縦枠１３および縦材２１が配置されることになる。
【００２３】
図５において、このような縦枠１３および縦材２１は、室外側のレインバリア用のシール材１６，２２、および室内側のウインドバリア用のシール材１７，２３を介して互いに当接されている。また、縦枠１３および縦材２１には、対抗し合う向きに開口した断面コ字形状のゴンドラガイドレール形成部１８，２４が設けられており、これらにより、上下に連続し、かつ縦目地３１と連通したゴンドラガイドレール３３が形成されている。
【００２４】
以下には、カーテンウォール１での換気構造について詳説する。
図５に示すように、ＰＣ版２０に埋設された換気部材としての縦材２１には、前述のゴンドラガイドレール形成部２４に相当する部位に、外気取入用の取入口２５が穿設されており、ゴンドラガイドレール３３と縦材２１の中空部２６とが連通している。この取入口２５は、縦材２１の下部側において、所定の高さ範囲内に複数個穿設されている。ただし、この際の具体的な数や、取入口２５一つの大きさ等は、その実施にあたって任意に決められてよい。
【００２５】
また、中空部２６を形成している室内側面部２７には、当該中空部２６と室内側とを連通させる連通孔２８が穿設されている。この連通孔２８は、縦材２１の上部側において、所定の高さ範囲内に複数個穿設されている。連通孔２８の具体的な数や、取入口２５一つの大きさ等も、その実施にあたって任意に決められてよい。
【００２６】
このように、連通孔２８と取入口２５とが上下に離間して穿設されていることにより、万一取入口２５から中空部２６内に雨水が入り込んでも、連通孔２８に達することがなく、室内側に漏れ出す心配がない（図５、図６では、図示し易くするために、同一高さレベルに描かれている）。
また、中空部２６の下端側は閉塞プレート２９で塞がれており、中空部２６内に入り込んだ雨水は、中空部２６の内面を伝い落ちて閉塞プレート２９まで達し、ここに設けられた図示略の排水孔から外側に排水される。
【００２７】
カーテンウォールユニット１０の室内側には引違い窓（内窓）４０が設けられている。つまり、建物２は、カーテンウォール１とその室内側の引違い窓４０とを備えたダブルスキン構造とされ、引違い窓４０によって建物２の内部が室内空間４と窓側空間（カーテンウォール１および引違い窓４０間の空間）５に仕切られている。
【００２８】
引違い窓４０は、それぞれアルミの押出形材製とされた窓上枠４１、窓下枠４２、および左右の窓縦枠４３とを四周枠組して構成された窓枠４４を備え、この窓枠４４内には、内外一対の障子４５（４５Ａ，４５Ｂ）が配置されている。
【００２９】
窓枠４４において、窓縦枠４３の上端側は、窓上枠４１よりも上方に延設されており、その上端間には天枠４６が架設され、この天枠４６が上方の大梁６にブラケットを介して固定されている。天枠４６と窓上枠４１とは上下に離間しており、この間の空間を通して窓側空間５と天井裏のダクト７とが連通している。
また、窓下枠４２およびこの室内側の水平な框材８には、上下に貫通した多数のスリット８Ａ，４２Ａが穿設され、これらのスリット８Ａ，４２Ａおよび床下空間とを通して室内空間４と窓側空間５とが連通している。これにより、引違い窓４０の障子４５が閉め切られている場合、室内空間４内の空気を床下空間→窓側空間５→ダクト７→空調機→室内空間４といった具合に循環させることが可能である。
【００３０】
窓枠４４内における窓縦枠４３の内側（図５中の右側）には、上方のブラインド９（図４）をガイドするガイド枠４７が立設されている。ガイド枠４７は、天枠４６の室外側を通ってさらに上方に延設されており、そのガイド溝４７１によって電動式で上げ下げするブラインド９の一側端縁をガイドする。なお、図４においては、ガイド枠４７の図示を省略してある。
【００３１】
図５において、窓縦枠４３とガイド枠４７との間は、前述の連通孔２８を通して縦材２１の中空部２６と連通した枠内連通部４８になっている。枠内連通部４８の上部側は、図示を省略するが、窓縦枠４３の上端とガイド枠４７の途中位置とに架設された短尺な閉塞形材で塞がれている。
【００３２】
このような枠内連通部４８の室外側は、下方の窓下枠４２、窓縦枠４３、上方の図示しない閉塞形材、およびガイド枠４７に跨って設けられた環状のシール材４８１を、縦材２１の連通孔２８周りに密着させることで止水処理されている。また、枠内連通部４８の室内側は、一連のシール材４８２を換気扉４９に密着させることで止水処理されている。
【００３３】
ここで、換気扉４９は、バネ付きのヒンジ４９１により、常時、室内空間４側に付勢されている。従って、図５に示すように、引違い窓４０の外障子４５Ｂが閉められている状態では、換気扉４９の室外側面がシール材４８２に密着し、かつ室内側面が外障子４５Ｂの竪框４５１に設けられた回転自在なローラ４５２に当接している。
【００３４】
また、換気扉４９は、外障子４５Ｂが所定幅だけ開けられると、図６に示すように、室内空間４側に自動的に回動して開き、枠内連通部４８と室内空間４とを連通させる。これにより、室外、縦目地３１、ゴンドラガイドレール３３、中空部２６、枠内連通部４８、および室内空間４が連通し、外気を室内空間４内に取り入れることが可能である。そして、本実施形態では、中空部２６および枠内連通部４８により、本発明に係る外気取入流路５０が形成されている。
【００３５】
さらに、障子４５を再度閉めれば、ローラ４５２が換気扉４９の室外側面を転がりながら当該換気扉４９を押し戻すように回動させ、外気取入流路５０を遮断する。
【００３６】
なお、本実施形態では、外障子４５Ｂの移動量は、図６に示すように、換気扉４９が略９０度回動した位置となるように規制されている。この状態では、ローラ４５２がガイド枠４７側に移動しているが、開放した換気扉４９にも依然として当接しており、換気を行った後に外障子４５Ｂを勢いよく閉めた場合でも、ローラ４５２が換気扉４９に衝撃を与えるようにぶつかる心配がなく、双方に変形や破損が生じないようになっている。
【００３７】
ただし、外障子４５Ｂを図６の位置からさらに移動できるように構成してもよい。また、外障子４５Ｂを図６の位置からさらに移動させる場合には、換気扉４９をその移動に伴ってより回動させてもよいし、略９０度以上は回動しないようにストッパー等を設けてもよい。そして、これらの場合、外障子４５Ｂを閉めるに際しては、ローラ４５２と換気扉４９とが勢いよくぶつかる可能性があるため、例えば、竪框４５１に設けられたシール材４５３を、ローラ４５２よりも先に換気扉４９に確実に接触させるようにして、緩衝材として機能させる等、何らかの緩衝手段を設けることが望ましい。
なお、図示を省略するが、内障子４５Ａの戸先側でも、略同様な換気構造が設けられている。
【００３８】
このような本実施形態によれば、以下のような効果がある。
(１) 建物２では、カーテンウォール１に形成された縦目地３１の奥側において、縦材２１に取入口２５が設けられ、この取入口２５の室内側に形成された外気取入流路５０により、建物２の外部と室内空間４とが連通可能であるため、外気を縦目地３１から取入口２５を通して室内空間４に取り入れることができ、建物２内を確実に換気できる。従って、従来とは異なり、下枠１２等の外表面に取入口を設ける必要がなく、下枠１２等の見付け寸法を小さくできるうえ、カバー等も不要にでき、デザインの自由度を高めて外観を良好にでき、意匠性を向上させることができる。
【００３９】
(２) また、縦材２１は上下方向に長尺に設けられているので、雨水等が縦目地３１や、ゴンドラガイドレール３３、さらには、取入口２５から中空部２６内に入り込んだ場合でも、縦材２１の鉛直な側面（外面、内面）を伝って雨水を確実に下方に伝い落とすことができ、下方に設けられた排水孔から外部に確実に排水できる。このため、縦材２１には雨水が滞留することがないから、縦材２１での複雑な止水構造を不要にでき、煩雑な組立作業やコストアップを招かずに止水性を確実に確保できる。
【００４０】
(３) 縦目地３１と取入口２５との間には、ゴンドラガイドレール３３によって広い空間が設けられているため、取入口２５からの外気の取入をスムーズに行うことができ、換気を効率的に行える。
【００４１】
(４) さらに、縦材２１はＰＣ製の外壁部分であるＰＣ版２０に埋設されて支持されているため、縦材２１自身をＰＣ版２０で補強でき、内部造作物としての引違い窓４０の窓下枠４２、窓縦枠４３、およびガイド枠４７等をシール材４８１を介して確実に当接させて支持できる。このことにより、各枠４２，４３，４７の納まりを工夫して枠内連通部４８を十分な大きさに形成でき、外気の流通を良好に行うことができる。
【００４２】
(５) 縦材２１がＰＣ版２０に埋設されていることにより、これらの互いの対向面間では、室内外を連通させるような隙間をなくすことができ、複雑なシール構造を不要にできる。
【００４３】
(６) そして、建物２は、内部に引違い窓４０を備えたダブルスキン構造になっているが、室内空間４の換気を行う場合には、住宅等で換気を行う場合のように引違い窓４０の障子４５を開けるだけでよいため、換気扉４９が自動的に開いて違和感なく換気できるうえ、機器類を操作するなどの煩わしい操作を不要にでき、容易に換気できる。
【００４４】
(７) また、障子４５が閉められている場合には、この障子４５で単に外気取入流路５０が塞がれるのではなく、外気取入流路５０が換気扉４９によって確実に塞がれるので、換気を行わない時の室内空間４の気密性を確実に確保できる。
【００４５】
(８) 縦材２１の取入口２５と連通孔２８とは、上下に離間して穿設されているので、万一取入口２５から中空部２６内に雨水が入り込んでも、連通孔２８に達することがなく、枠内連通部４８内に漏れ出すのを防止できる。
【００４６】
〔第２実施形態〕
次に、本発明の第２実施形態に係る建物２Ａについて、図７ないし図９に基づいて説明する。
図７は、本実施形態に係る建物２Ａの外壁を形成するカーテンウォール１Ａの横断面図である。図８および図９は、図７の要部を拡大して示す横断面図および斜視図である。
【００４７】
建物２Ａの外壁部分は、前述の第１実施形態と同様に、複数のカーテンウォールユニット１０を併設して構成されたカーテンウォール１Ａと、カーテンウォールユニット１０の水平方向両側に設けられたＰＣ版２０とで形成されている。また、建物２Ａは、カーテンウォールユニット１０の室内側に引違い窓（内窓）８０を備えたダブルスキン構造とされ、縦目地３１に沿ってＰＣ版２０に予め埋設された換気ボックス６１を有して構成される換気構造を備えている。
一方、カーテンウォール１Ａでの換気構造は、前述の第１実施形態と構成が相違しており、以下、この換気構造の相違点について詳説する。
【００４８】
図８および図９に示すように、ＰＣ版２０に埋設された換気部材としての換気ボックス６１は、中空部６１１を有したアルミの押出形材製であって、その下端部６１４は、ＰＣ版２０の下端（各階の床レベル）から所定高さ上がった位置とされ、その上端部６１５は、引違い窓８０の窓上枠８１と略同一高さ位置とされている。また換気ボックス６１には、縦目地３１の奥側の位置に、縦材２１の高さ方向全長に渡って細長状に形成された外気取入用の取入口６１２が穿設されている。さらに、換気ボックス６１の室内側側面には、中空部６１１と室内側とを連通させる連通孔６１３が穿設されている。
【００４９】
引違い窓８０は、それぞれアルミの押出形材製の窓上枠８１、窓下枠８２、および左右の窓縦枠８３を四周枠組して構成された窓枠を備え、この窓枠内に内外一対の障子８５を備えている。窓下枠８２の室内外側には、それぞれの前述の第１実施形態におけるスリット８Ａ，４２Ａに換えて格子状のグレーチング８２Ａが設けられ、これらのグレーチング８２Ａおよび床下空間を通して室内空間４と窓側空間５とが連通している。
窓縦枠８３は、中空部８３１を有し、その室外側および障子８５が当接する側の側面には、それぞれ連通孔８３２，８３３が穿設されている。そして、障子８５が当接する側の連通孔８３３には、多数の孔が設けられたアルミ製のパンチングパネル８３４が取り付けられ、室内側から連通孔８３３を通して中空部８３１の中が見えなくなっている。
【００５０】
換気ボックス６１と窓縦枠８３との間には、それぞれの連通孔６１３，８３２を連結する、可撓性を有した蛇腹状のフレキシブルダクト７１が設けられている。このフレキシブルダクト７１は、中空部７１１を有した樹脂製で、その室内外両端縁には、それぞれの端縁の外周に沿った環状の嵌合突起７１２が形成されている。そして、この嵌合突起７１２と連通孔６１３，８３２の周囲に設けられた凹部との嵌合によって、換気ボックス６１および窓縦枠８３の連通孔６１３，８３２が水密性および気密性を有して連結されることとなる。
【００５１】
また、フレキシブルダクト７１は、換気ボックス６１よりも高さ寸法が短く形成されており、フレキシブルダクト７１の下端部７１４は、換気ボックス６１の下端部６１４よりも高く位置され、その上端部７１５は、換気ボックス６１の上端部６１５よりも低く位置されている。また、フレキシブルダクト７１の下端部７１４および上端部７１５には、それぞれ室外側に向かって下方および上方に広がる傾斜が設けられている。
このように、フレキシブルダクト７１の下端部７１４は、換気ボックス６１の下端部６１４よりも高く位置され、室外側に向かって下方に下がる傾斜が設けられていることにより、万一取入口６１２から中空部６１１内に雨水が入り込んでも、連通孔６１３に達することがなく、室内側に漏れ出す心配がなく、中空部６１１内に入り込んだ雨水は縦目地３１側に排水される。
【００５２】
次に、本実施形態の換気構造における外気の導入方法について説明する。
引違い窓８０の障子８５を閉めた状態においては、障子８５の縦框８５１が窓縦枠８３の連通孔８３３を囲むように設けられたシール材８３５に当接し、縦框８５１の側面が連通孔８３３を塞いでいる。従って、この状態では室外と室内空間４とが連通されず、室外に対する室内の気密性が確保されている。
図８に示すように、障子８５を開ければ連通孔８３３と室内空間４とが連通される。これにより、室外、縦目地３１、中空部６１１，７１１，８３１、および室内空間４が連通され、外気を室内空間４内に取り入れることが可能である。
従って、本実施形態では、互いに連通された中空部６１１，７１１，８３１により、外気取入流路が形成され、室外と室内空間４とが連通されることとなる。
なお、この際、外気を導入するものに限らず、外気取入流路を通って内気が建物２Ａの外部に流出することで、室内が換気されるものであってもよい。
【００５３】
また、窓縦枠８３の室外側には、障子８５の開放方向に沿って突片８３６が形成されており、この突片８３６の先端側に縦框８５１の室外側側面と当接するシール材８３７が設けられている。そして、このシール材８３７の位置を縦框８５１が超えない範囲に障子８５の移動量が規制されている。すなわち、シール材８３７が縦框８５１に当接している状態では、室内空間４と窓側空間５とが連通されないので、窓縦枠８３の連通孔８３３から流入した外気は、室内空間４のみに流入することになる。
なお、障子８５の移動量の規制を解除可能に構成してもよい。その場合、規制を解除して障子８５を大きく開くことにより、窓側空間５に出入り可能で、窓側空間５の掃除やブラインド９等のメンテナンスが可能となる。
【００５４】
このような本実施形態によれば、前述の効果に加えて次のような効果がある。
(９) 換気ボックス６１の中空部６１１、フレキシブルダクト７１の中空部７１１、および引違い窓８０の窓縦枠８３の中空部８３１を互いに連通して外気取入流路を形成することにより、室外と室内空間４とが連通されることとなり、外気を縦目地３１から取入口６１２を通して室内空間４に取り入れることができ、建物２内を確実に換気できる。また、換気が不要な時には、障子８５を閉めれば窓縦枠８３の連通孔８３３が障子８５の縦框８５１で覆われ塞がれるので、換気が不要な時には室内空間４の気密性を確保できる。
【００５５】
(10) 引違い窓８０の窓縦枠８３に外気取入流路の連通孔８３３を設けることで、この連通孔８３３と障子８５との開閉が同時になされ、外気取入流路と室内空間４との連通および遮断のために前述の第１実施形態で採用した換気扉のような可動部材を設ける必要がないので、部品点数を削減でき、可動部材に掛かるメンテナンスを省略できる。
【００５６】
(11) 地震時や強風時における建物の層間変形よってカーテンウォール１Ａと引違い窓８０との間に相対的な移動が生じても、可撓性を有するフレキシブルダクト７１の変形により相対移動を吸収できるので、外気取入流路を良好に維持することができる。また、設計条件によってカーテンウォール１Ａや引違い窓８０の位置や形状が異なる場合であっても、変形可能な範囲であればフレキシブルダクト７１を取り付けることができるので、設計条件によらずフレキシブルダクト７１を共通して利用できる。
【００５７】
(12) フレキシブルダクト７１の下端部７１４を換気ボックス６１の下端部６１４よりも高くし、室外側に向かって傾斜を設けることにより、万一取入口６１２から中空部６１１内に雨水が入り込んでも、室内側に漏れ出す心配がなく、中空部６１１内に入り込んだ雨水は縦目地３１側に排水されるので、防水性能を確保できる。
【００５８】
なお、本発明は、前記実施形態に限定されるものではない。
例えば、前記実施形態では、縦材２１および換気ボックス６１がＰＣ版２０に埋設されていたが、このような縦材２１や換気ボックス６１を後付けしてもよい。すなわち、ＰＣ版２０側には予めアンカー部材等を埋め込んで突設させておき、このアンカー部材に縦材２１や換気ボックス６１を固定してもよい。ただし、このような場合には、縦材２１や換気ボックス６１とＰＣ版２０との互いの対向面にシール材を介装し、止水性および気密性を確実に確保する必要がある。
【００５９】
前記実施形態では、縦材２１および換気ボックス６１に取入口２５，６１２が設けられていたが、このような取入口２５，６１２を縦材２１や換気ボックス６１に対向した枠体１４の縦枠１３に設けてもよく、またこれらの両方に設けてもよい。さらに、隣接するカーテンウォールユニット１０の対向し合う縦枠１３の両方、または一方に設けてもよい。
【００６０】
図１０には、そのような縦枠１３の両方に取入口２５を設けた例が示されている。このような構成によれば、換気を行わない状態では、縦枠１３に設けられた連通孔２８が、シール材４９２を備えた換気扉４９で塞がれている。
この換気扉４９は、室外側が縦枠１３に係止されており、ラッチ等の適宜な係脱手段を換気扉４９の室内側に設けることで、点線矢印で示すように、手動によって開閉可能に構成されている。勿論、建物内に引違い窓等が設けられている場合には、その障子の動きに連動して換気扉４９を回動させる構成にしてもよい。
また、図１０に示すような場合でも、取入口２５と連通孔２８とは、上下に離間させて設けることが望ましい（図１０では、図示し易くするために、同一高さレベルに描かれている）。
以上の構成では、縦目地３１の奥側において、縦枠１３に取入口２５が設けられているので、前記実施形態と同様に本発明の目的を達成できる。加えて、取入口２５が設けられた各縦枠１３が本発明に係る縦材であるから、縦枠１３の他に別途専用の縦材を設ける必要がなく、経済的である。
【００６１】
前記実施形態では、本発明に係る内窓が引違い窓４０，８０であったが、内窓としては、開き窓、上げ下げ窓、辷り出し窓、ルーバー窓など、任意の形態の窓であってよく、また、嵌め殺し窓であってもよい。
さらに、前記第１実施形態の換気扉４９は引違い窓４０の動きに連動して開閉する構成であったが、手動で開閉できる構成でも勿論よい。特に内窓が嵌め殺し窓の場合には、障子との連動が不可能であるため、手動式とするか、別途開閉装置を設けて換気扉４９のみを自動開閉させることになる。
ただし、本発明では、内窓は必須の構成要件ではなく、建物をダブルスキン構造にするか否かは任意である。
【００６２】
また、前記第１実施形態で説明したゴンドラガイドレール３３も必要に応じて設けられればよく、縦枠１３や縦材２１にゴンドラガイドレール形成部１８，２４が存在しない場合でも本発明に含まれる。
【００６３】
また、前記第２実施形態で説明したフレキシブルダクト７１は、蛇腹状に限らず、伸縮性を有したゴム製の筒状部材から構成してもよい。また、当該フレキシブルダクト７１に換えて、アルミ等の金属製ダクトを用い、この金属製ダクトと縦材あるいは窓縦枠との間を伸縮性を有する材料で連結してもよい。
【００６４】
さらに、本発明のカーテンウォールとしては、前記実施形態で説明したようなユニットタイプの他、面材を方立および無目材を介して支持させるタイプも含まれる。
【００６５】
【発明の効果】
以上に述べたように、本発明のカーテンウォールおよび建物によれば、外観部分のデザインの自由度を高めて外観を良好にでき、かつ作業の繁雑さやコストアップを伴わずに止水性を確実に確保できるという効果がある。
【図面の簡単な説明】
【図１】本発明の第１実施形態に係る建物の外壁を形成するカーテンウォールの外観姿図である。
【図２】前記カーテンウォールの縦断面図であり、図１のII−II線断面図である。
【図３】前記カーテンウォールの横断面図であり、図１のIII−III線断面図である。
【図４】図２の要部を拡大して示す縦断面図である。
【図５】図３の要部を拡大して示す横断面図であり、内窓を構成する障子が閉められた状態を説明するための図である。
【図６】図３の要部を拡大して示す横断面図であり、前記障子が開けられた状態を説明するための図である。
【図７】本発明の第２実施形態に係る建物の外壁を形成するカーテンウォールを示す横断面図である。
【図８】図７の要部を拡大して示す横断面図であり、内窓を構成する障子が開けられた状態を説明するための図である。
【図９】図７の要部を示す一部を断面した斜視図である。
【図１０】本発明の変形例を示す横断面図である。
【符号の説明】
１，１Ａ…カーテンウォール、２，２Ａ…建物、４…室内空間、１３…縦枠、１８，２４…ゴンドラガイドレール形成部、２０…プレキャストコンクリート製の外壁部分を形成するＰＣ版、２１…換気部材である縦材、２５，６１２…取入口、２６，６１１…中空部、２８，６１３…連通孔、３１…縦目地、４０，８０…内窓、４５，４５Ａ，４５Ｂ，８５…障子、４５１，８５１…縦框、４９…換気扉、５０…外気取入流路、６１…換気部材である換気ボックス、７１…フレキシブルダクト、８３…窓縦枠、８３３…室内側開口である連通孔。
【図１】
0003964320.tif 000002
【図２】
0003964320.tif 000003
【図３】
0003964320.tif 000004
【図４】
0003964320.tif 000005
【図５】
0003964320.tif 000006
【図６】
0003964320.tif 000007
【図７】
0003964320.tif 000008
【図８】
0003964320.tif 000009
【図９】
0003964320.tif 000010
【図１０】
0003964320.tif 000011